(57)【要約】【課題】保存状態においてズボンに癖がつかず、ズボンの着脱が容易であるズボン掛けを得る。【解決手段】ズボン掛け本体２１と、この本体２１の一端部に設けられたピン２４と、本体２１の他端部に上記ピン２４から遠ざかる方に移動付勢されて設けられた移動ピン２５と、を備え、ピン２４と移動ピン２５はズボンの裾に挿入することができ、移動ピン２５の付勢力による移動によってピン２４と移動ピン２５との間でズボンの裾が引っ張られてズボンが吊り下げられる。【選択図】図１
2011030932.tif 000002
【特許請求の範囲】
【請求項１】
ズボン掛け本体と、この本体の一端部に設けられたピンと、上記本体の他端部に上記ピンから遠ざかる方に移動付勢されて設けられた移動ピンと、を備え、
上記ピンと移動ピンはズボンの裾に挿入することができ、
上記移動ピンの付勢力による移動によってピンと移動ピンとの間でズボンの裾が引っ張られてズボンが吊り下げられるズボン掛け。
【請求項２】
互いに平行な一対の保持レールを有する集合保持体をさらに備え、
ズボン掛け本体は上記集合保持体の一対の保持レールへの係合部を有し、
一つの上記集合保持体に対して複数のズボン掛け本体を係合させることができるズボン掛け。
【請求項３】
ピンと移動ピンは、ズボンの左右の裾に挿入するためにそれぞれ２個に分割されている請求項１または２記載のズボン掛け。
【請求項４】
集合保持体は水平バーに吊り下げるために長さの異なる２個のフックを有していて、この２個のフックを水平バーに引っ掛けた状態で一対の保持レールの先端が上位になるように上記保持レールが傾斜する請求項２記載のズボン掛け。
【請求項５】
ズボン掛け本体は、ズボン掛け本体を単独で吊り下げることができるようにフックを備えている請求項１または２記載のズボン掛け。
【発明の詳細な説明】
【技術分野】
【０００１】
本発明は、簡単な操作でズボンを着脱することができるとともに、ズボンに皺を付けることがなく、かつ、多くのズボンをスペース効率よく収納することができるズボン掛けに関するものである。
【背景技術】
【０００２】
従来、ズボン専用のハンガーや、ズボン掛けを兼ねたジャケット用のハンガーが知られている。ズボン掛けを兼ねたジャケット用ハンガーのズボン掛け部は、ズボンを折り返して引っ掛けるのが普通であり、折り返し部でズボンに癖がつきやすいという難点がある。そこで、このような難点のないズボン掛けが各種提案されている。
【０００３】
特許文献１記載の発明はその一つで、ハンガー本体の両側にまたがる吊りバーを設け、この吊りバーの両端部にズボンを挟み込むクリップを設けている。各クリップは、１本の金属線材を折り曲げて成形したもので、ねじりコイルばねと、このばねの弾力でズボンを挟持することができ上記ばねの弾力に抗して互いに開かせることによりズボンの挟持を解放する一対の挟持部とを有し、さらに、各挟持部はズボンのベルト通しに引っ掛けることができるメインフック部を有してなるものである。
【０００４】
特許文献２記載の発明は、１本の銅線を折り曲げることにより長さ方向中央部に吊り下げフック部と左右に対をなす操作部を設け、長さ方向両端部は水平方向に対して上向きになるように傾斜させてこの両端部にズボンの裾を挟み込むことができるクリップを設けてなるものである。銅線からなる本体部分の弾性力に抗して上記一対の操作部が近づくようにこの操作部を操作し、上記両端部のクリップでズボンの裾を挟み込み上記操作部の操作を解除すると、上記本体部分の復元力で上記両端部のクリップがズボンの裾に張力を与えることになり、この状態でズボンを保持することができるようにしたものである。
【先行技術文献】
【特許文献】
【０００５】
【特許文献１】特開２００８−２００１０４号公報
【特許文献２】実用新案登録第３１３１１７４号公報
【発明の概要】
【発明が解決しようとする課題】
【０００６】
各家庭では多くのズボンを保有していて、その整理、保存法にはもっと工夫が施されてよいはずであるが、なんらの疑問も感じることなく見過ごされているのが現状である。例えば、一般の家庭で広く使用されているズボン掛けを兼ねたスーツ用のハンガーの大半は、ズボン掛けにズボンを折り返して引っ掛けるタイプのものであるから、長い間ズボン掛けにズボンを掛けたままにしておくと、折り目でズボンに癖がつく難点がある。ズボンの着脱も面倒である。多くのズボンを保有している場合、どこにどんなズボンがあるのかわかりにくい。
保存状態においてズボンに癖がつかず、ズボンの着脱が容易であり、多くのズボンを集合させた形で整理保存することができ、ズボンを着用するとき一見してズボンを識別することができるズボン掛けがあれば便利であるが、この種のズボン掛けはまだ提案されていない。
【０００７】
本発明は、以上のようなズボン掛けに関する発明、考案の現状に鑑みてなされたもので、保存状態においてズボンに癖がつかず、ズボンの着脱が容易であるズボン掛けを提供することを目的とする。
本発明はまた、多くのズボンを集合させた形で整理保存することができ、ズボンを着用するとき一見して一つ一つのズボンを識別することができるズボン掛けを提供することを目的とする。
【課題を解決するための手段】
【０００８】
本発明にかかるズボン掛けは、ズボン掛け本体と、この本体の一端部に設けられたピンと、上記本体の他端部に上記ピンから遠ざかる方に移動付勢されて設けられた移動ピンと、を備え、上記ピンと移動ピンはズボンの裾に挿入することができ、上記移動ピンの付勢力による移動によってピンと移動ピンとの間でズボンの裾が引っ張られてズボンが吊り下げられることを最も主要な特徴とする。
【０００９】
本発明にかかるズボン掛けの別の態様は、上記ズボン掛けにおいて、互いに平行な一対の保持レールを有する集合保持体をさらに備え、ズボン掛け本体は上記集合保持体の一対の保持レールへの係合部を有し、一つの上記集合保持体に対して複数のズボン掛け本体を係合させることができることを特徴とする。
【発明の効果】
【００１０】
ズボンを上下反転し、移動ピンを付勢力に抗して移動させた状態で、筒状のズボンの裾の中にピンと移動ピンを挿入し、移動ピンを付勢力によって移動させると、ピンと移動ピンとの間でズボンの裾が引っ張られ、ズボンがズボン掛け部に吊り下げられる。ズボンを取り外すには移動ピンを付勢力に抗して移動させるだけでよく、ズボン掛け部に対するズボンの着脱操作は簡単である。
【００１１】
本発明にかかるズボン掛けの別の態様によれば、ズボンを吊り下げた複数のズボン掛け本体を集合保持体の一対のレールに係合させることができるため、一つの集合保持体に複数のズボンを吊り下げた状態で保存することができるとともに、保存された状態で、一つ一つのズボンを目視することができるため、着用しようとするズボンを容易に選択することができる。
【図面の簡単な説明】
【００１２】
【図１】本発明に係るズボン掛けの実施例を正面右斜め上方から見た斜視図である。
【図２】上記実施例の使用態様を示す正面図である。
【図３】上記実施例中のズボン掛け部分のみを示す斜視図である。
【図４】上記ズボン掛け部分の縦断面図である。
【図５】上記ズボン掛け部分へのズボンの着脱の様子を示す斜視図である。
【図６】上記実施例におけるピンとズボンとの引っ掛かりの様子を拡大して示す横断面図である。
【発明を実施するための形態】
【００１３】
以下、本発明に係るズボン掛けの実施例について図面を参照しながら説明する。
【実施例】
【００１４】
図１、図２において、符号２はズボン掛けを示しており、一つの集合保持体１が複数のズボン掛け２を保持することができるようになっている。後で説明するように、ズボン掛け２は単独で使用することもできるが、一つの集合保持体１に複数のズボン掛け２を係止させた状態で使用することもできる。図示の実施例は、後者の使用態様を想定した構成になっている。
【００１５】
まず、集合保持体１の具体的な構成について説明する。図１、図２において、集合保持体１は平面形状（上方から見下ろした形状）が四角形の枠体１２を有し、この枠体１２の左右方向一端部の両隅から下方に延びた一対の連結部１３と、この一対の連結部１３の下端を連結する水平方向の桟１５を有している。集合保持体１はまた、上記一対の連結部１３の下端でもある上記桟１５の両端から、一対の保持レール１１が互いに平行に、かつ、上記枠体１２の前後の桟と平行に延び出ている。上記枠体１２の左右方向両端部の上面からは、ブレース１６とこれに続くフック１４が立ち上がっている。より具体的には、枠体１２の左右方向両端部のブレース１６は、枠体１２の前後両端部から対をなして斜め上方に延び出て互いに合流し、各合流点からはフック１４が上方に向かって一体に延び出ている。左右において枠体１２と実質一体に形成されているフック１４は、例えば洋服ダンス内の水平バー３などに掛け止めることができる。左右両方のフック１４を水平バー３に掛け止めた状態で、集合保持体１全体が、あるいは少なくとも一対の保持レール１１が傾斜するように、より具体的には、保持レール１１の先端が上位になるように、左右両方のフック１４の高さ位置ないしは延び出し長さに差がつけられている。集合保持体１は、樹脂による一体成形で作成してもよいし、複数の部品を組み立てて作成してもよい。
【００１６】
次に、ズボン掛け２の具体的な構成について説明する。図３、図４において、ズボン掛け２は、帯状の板をクランク状に複数回折り曲げられた形のズボン掛け本体２１と、この本体２１の一端部寄りに設けられたピン２４と、本体２１の他端部寄りに上記ピン２４から遠ざかる方に移動付勢されて設けられた移動ピン２５を備えている。上記ズボン掛け本体２１は、長さ方向中央部が所定の長さにわたって凸形になっていて、その両側が所定の長さにわたる凹形、その両側が凸形になっている。この両側の凸形が本体２１の両端に位置している。この両端の凸形は、逆Ｕ字状に形成されて下側が開放し、上記集合保持体１の一対のレール１１への係合部２２となっている。この係合部２２の内側に続く上記凹形の部分はピン取り付け部２３Ａ、２３Ｂとなっていて、一端側のピン取り付け部２３Ａにはピン２４が、他端側のピン取り付け部２３Ｂには移動ピン２５が取り付けられている。
【００１７】
ピン２４は、ピン取り付け部２３Ａを上から下に貫き下方に突出した態様で本体２１に固定されている。移動ピン２５も、ピン取り付け部２３Ｂを上から下に貫き下方に突出した態様で本体２１に取り付けられているが、移動ピン２５はピン取り付け部２３Ｂに形成されたガイド孔２８を貫くことにより、ガイド孔２８に沿って移動可能に取り付けられている。移動ピン２５にはその上端に底面の幅がガイド溝２８の幅よりも大きいスライド部材２６が一体に設けられている。スライド部材２６によって移動ピン２５がガイド溝２８から脱落することが防止されるとともに、スライド部材２６がピン取り付け部２３Ｂの上面に沿ってスライドすることにより、移動ピン２５の移動を補助している。ガイド溝２８内には、移動ピン２５の付勢手段としての引っ張りコイルばね２７が配置されている。引っ張りコイルばね２７は、ガイド溝２８において、移動ピン２５よりも本体２１の長さ方向外側に配置され、引っ張りコイルばね２７の両端がそれぞれ本体２１と移動ピン２５に連結されている。したがって、移動ピン２５は、ピン２４から遠ざかる方に移動付勢されている。
【００１８】
なお、移動ピン２５の付勢手段は、引っ張りコイルばね２７に代えて圧縮コイルばねとし、これを移動ピン２５の反対側、すなわち移動ピン２５よりも本体２１の内側に配置してもよい。また、コイルばねに代えて、板ばね、タケノコ状ばねなどを用いてもよく、弾性を有する樹脂などを用いてもよい。
【００１９】
ピン２４と移動ピン２５は、左右一対の筒状のズボンの裾に挿入するものであることから、それぞれ上記本体２１の幅方向に並んだ２個のピンを一対として備えており、かつ、一対のピンは一体に形成されている。ピン２４と移動ピン２５は、ズボンの裾に挿入しやすいように、下端部がとがった形になっている。ただし、後で説明するように、ズボンの裾をピン２４と移動ピン２５で内側から外側に向かって押し広げるように引っ張り力を加え、ピン２４および移動ピン２５とズボンとの摩擦力でズボンを吊り下げるため、上記摩擦力はできるだけ大きいことが望ましい。そこで、ピン２４と移動ピン２５は互いに対向する面の下端部を斜めに削ぎ取って下端部をとがった形にし、ピン２４および移動ピン２５とズボンとの接触面積が少なくならないように工夫している。
【００２０】
上記のように、ピン２４および移動ピン２５とズボンとの摩擦力はなるべく大きいことが望ましい。そこで、ピン２４および移動ピン２５は摩擦係数の大きい素材で作るのが望ましい。あるいは、ピン２４および移動ピン２５は少なくともズボンの裾との接触部が摩擦係数の大きい素材で作るのが望ましい。
【００２１】
また、上記のように、ピン２４および移動ピン２５がズボンの裾を内側から外側に向かって押し広げるように引っ張り力を加えても、ズボンの折り目が消えないことが望ましい。そこで、図６に移動ピン２５の例で示すように、ズボンの裾４を押し広げるように引っ張り力を加えたとき、引っ張り力が加わるピン２５の外側の断面形状が鋭角になるように形成されている。ピン２４も同様に、引っ張り力が加わるピン２４の外側の断面形状が鋭角になるように形成されている。このように鋭角に形成されているピン２４および移動ピン２５の上記鋭角部分をズボンの折り目に合わせて引っ張り力を加えることにより、折り目をより一層目立たせることができるとともに、ズボンの裾４の部分の皺を無くす効果もある。
【００２２】
次に、以上説明した実施例の使用方法について説明する。図５に示すように、予めズボンを上下反転しておく。次に、ズボン掛け２の移動ピン２５をコイルばね２７による付勢力に抗して移動させ、ピン２４と移動ピン２５の間隔を狭める。この状態で、筒状のズボンの裾４の中にピン２４と移動ピン２５を挿入する。ズボンの裾４は左右に対をなしているので、左右の裾４にそれぞれピン２４と移動ピン２５を挿入する。この状態で、付勢力に抗する移動ピン２５の移動操作を解除し、移動ピン２５を付勢力によって移動させると、ピン２４と移動ピン２５との間でズボンの裾が引っ張られ、摩擦力によってズボンがズボン掛け部２に吊り下げられる。
【００２３】
ズボンの裾のサイズは様々であり、移動ピン２５の移動範囲で様々のサイズのズボンに対応できるようにするには、移動ピン２５の移動範囲を相当広くしておく必要がある。そうすると、ズボンを装着しようとするたびに移動ピン２５を大きく動かす必要があって操作性が低下し、ズボン掛け本体２１の強度も低下する。
【００２４】
そこで、ピン２４をズボン掛け本体２１に固定してしまうのではなく、ズボン掛け本体２１の長さ方向に位置調整可能にしておき、適宜の位置でズボン掛け本体２１に固定することができるようにするとよい。いわば、半固定式にする。かかる形式にしておけば、ズボンの裾のサイズに応じて、移動ピン２５をその付勢力に抗して僅かに移動させるだけでピン２４および移動ピン２５をズボンの裾に挿入することができるようにピン２４の位置を設定することができ、ズボンの着脱が容易になる。また、移動ピン２５の移動ストロークを長くとる必要がないため、設計及び製作が容易であり、ズボン掛け本体２１の強度も保つことができる。
【００２５】
ピン２４を半固定式にするための具体的な構成は特に限定されるものではなく、一般的に考えられる構成を採用して差し支えない。例えば、ピン２４をガイド溝に沿って移動可能にし、適宜の調整位置で止めネジを締めつけることによりズボン掛け本体２１に固定するようにしてもよい。あるいは、ピン２４の挿入孔をズボン掛け本体２１の長さ方向に複数個列設しておき、任意の挿入孔を選択してこれにピン２４を挿入し、適宜の固定手段で固定するようにしてもよい。
【００２６】
図２に示すように、ズボンを吊り下げたズボン掛け２は、その両端部の係合部２２を集合保持体１の一対のレール１１に係合させることにより、集合保持体１に保持させることができる。集合保持体１は、一対のフック１４を水平バー３に掛け止めることによりレール１１の先端が上位になるように傾斜する。傾斜したレール１１にズボン掛け２の係合部２２を係合させると、レール１１の傾斜に沿ってズボン掛け２はレール１１の下位に向かって滑り下りる。レール１１には複数のズボン掛け２を係合させることができるため、レール１１の下位からズボン掛け２がその係合順に並ぶ。図２では、レール１１に係合された複数のズボン掛け２のうち左端のズボン掛け２にズボンが吊り下げられている状態を示している。
【００２７】
それぞれにズボンが吊り下げられている複数のズボン掛け２を、集合保持体１のレール１１に係合させると、吊り下げられているそれぞれのズボンの側部を見ることができるため、着用しようとするズボンを容易に選択することができる。そして、選択したズボンを吊り下げているズボン掛け２の移動ピン２５を付勢力に抗して移動させれば、そのズボンの裾４にかかっている引っ張り力が解除されるので、ズボン掛け２が集合保持体１に係止されている状態でズボンを取り外すことができ、ズボンの取り外しも容易である。
【００２８】
以上説明したズボン掛けの実施例によれば、これまで説明したような効果のほかに、以下のような効果を得ることができる。
ズボンの折り目に沿ってピン２４と移動ピン２５を挿入し、ピン２４と移動ピン２５で引っ張ることにより、ズボンの折り目を消失させることなく、また、余分な皺を生じさせることなくズボンを吊り下げることができる。
一つの集合保持体１に複数のズボン掛け２を係止することにより、複数のズボンを集中的に保存することができ、洋服ダンスなどの限られた内部スペースを効率よく利用することができる。
ズボン掛け２に吊り下げられているズボンをズボン掛け２から取り外す場合は、移動ピン２５を付勢力に抗して僅かに移動させるだけで取り外すことができ、操作性が良好である。
【００２９】
なお、図示した実施例におけるズボン掛け２は、複数個を集合保持体１に係止することを想定した形になっているが、本発明に係るズボン掛けは、単独で使用しても所期の目的を達成することができる。本発明に係るズボン掛けを単独で使用することを前提とする場合は、図示の実施例におけるズボン掛け本体２１の長さ方向両端部の係合部２２を省略することができる。この場合、個々のズボン掛けに、図３乃至図５に仮想線で示すフック２９を装着しておくとよい。さらに、図示の実施例のように、複数のズボン掛け２を集合体１に係止することを想定した実施例においても、図３乃至図５に示すように、個々のズボン掛け２にフック２９を装着しておけば、集合保持体１に係止することなく単独のズボン掛けとして使用することもできる。
【産業上の利用可能性】
【００３０】
本発明に係るズボン掛けは、一般家庭において使用しても便利であり、また、衣料品やスポーツ用品の小売店などにおけるズボンの展示用として使用しても便利である。
【符号の説明】
【００３１】
１    集合保持体
２    ズボン掛け
１１    保持レール
２１    ズボン掛け本体
２２    係合部
２４    ピン
２５    移動ピン
２７    付勢部材（コイルばね）
２８    ガイド孔
２９    フック
【図１】
2011030932.tif 000003
【図２】
2011030932.tif 000004
【図３】
2011030932.tif 000005
【図４】
2011030932.tif 000006
【図５】
2011030932.tif 000007
【図６】
2011030932.tif 000008